【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
血管内データを用いて血管を評価するために１つ又は複数の診断メトリックを決定する方法であって、当該方法は、
前記血管内に配置された血管内データ収集プローブのセンサをサンプリングレートでサンプリングして、サンプリングされた１つ又は複数の遠位側圧力値（Ｐｄ）を取得するステップと、
血管内データ処理システムにおいて、１つ又は複数の近位側圧力値（Ｐａ）を受け取るステップと、
前記血管内データ処理システムを用いて、サンプリングされた１つ又は複数の遠位側圧力値及び１つ又は複数の近位側圧力値から遠位側圧力対近位側圧力（Ｐｄ／Ｐａ）比のセットを決定するステップと、
時定数（ＴＣ）を有するフィルタを用いて前記Ｐｄ／Ｐａ比の値のセットをフィルタリングするステップであって、前記時定数（ＴＣ）は、心拍周期の長さの約１％〜約５０％の範囲である、フィルタリングするステップと、
前記血管内データ処理システムを用いて、フィルタリングされた前記Ｐｄ／Ｐａ比のセットから１つ又は複数の最小のＰｄ／Ｐａ比を決定するステップと、
少なくとも１つの最小のＰｄ／Ｐａ比の表現を表示するステップと、を含む、
方法。
【請求項２】
前記少なくとも１つの最小のＰｄ／Ｐａ比は、１つの心拍周期に対する最小の比であり、該最小の比は、サンプル毎に決定される、請求項１に記載の方法。
【請求項３】
１つ又は複数の最小のＰｄ／Ｐａ比の再現性を高めるように前記フィルタを選択するステップをさらに含む、請求項１に記載の方法。
【請求項４】
前記フィルタリングに応答して、１つ又は複数の最小のＰｄ／Ｐａ比の再現性を高めるステップをさらに含み、該フィルタリングは、信号ノイズ又は心拍周期変動によるノイズを減らす、請求項１に記載の方法。
【請求項５】
前記少なくとも１つの最小のＰｄ／Ｐａ比を取得するために、１つ又は複数の最小のＰｄ／Ｐａ比を平均化するステップをさらに含み、そのような各比は、心拍周期毎に決定される、請求項１に記載の方法。
【請求項６】
前記表現は、複数の最小のＰｄ／Ｐａ比であり、前記表現は、最小のＰｄ／Ｐａ比のそれぞれについて離散点を含み、各離散点は１つの心拍周期に対応する、請求項１に記載の方法。
【請求項７】
前記センサをサンプリングするステップは、前記血管を通して前記血管内データ収集プローブを引き戻す間に、前記センサをサンプリングするステップをさらに含み、前記血管内の引き戻し経路に沿って変化する最小のＰｄ／Ｐａ比を表示するステップをさらに含む、請求項１に記載の方法。
【請求項８】
狭窄の生理学的な重症度を評価するために、最小のＰｄ／Ｐａ比を含むユーザインターフェイスをユーザに表示するステップをさらに含む、請求項７に記載の方法。
【請求項９】
期間（Ｔ）に亘って最小のＰｄ／Ｐａ値を監視するステップと、前記最小のＰｄ／Ｐａ値の変化を前記血管内の狭窄の指標として特定するステップとをさらに含む、請求項１に記載の方法。
【請求項１０】
１つ又は複数の近位側圧力値及び１つ又は複数の遠位側圧力値は、心臓拡張期、心臓収縮期、又はこれらの組合せを含む１つ又は複数の心周期の間に取得される、請求項１に記載の方法。
【請求項１１】
前記血管内の狭窄の位置を特定するために、前記血管内の引き戻し経路に沿った最小のＰｄ／Ｐａ比の変化を追跡するステップをさらに含む、請求項１に記載の方法。
【請求項１２】
前記少なくとも１つの最小のＰｄ／Ｐａ比は、複数の心拍周期に対する最小の比である、請求項１に記載の方法。
【請求項１３】
少なくとも１つの最小のＰｄ／Ｐａ比の表現を含むユーザインターフェイスを表示するステップをさらに含む、請求項１に記載の方法。
【請求項１４】
前記ユーザインターフェイスは、最小のＰｄ／Ｐａ値対時間のプロット、ＦＦＲ値、Ｐｄ値、Ｐａ値、Ｐａ移動平均、Ｐｄ移動平均、及び血管内画像から構成されるグループから選択されたユーザインターフェイス表現をさらに含む、請求項１３に記載の方法。
【請求項１５】
血管を評価するための血管内データ解析システムであって、当該血管内データ解析システムは、
血管内圧力データを受け取るインターフェイスシステムと、
表示システムと、
命令を含む１つ又は複数のメモリ記憶装置と、
前記インターフェイスシステム、前記表示システム、及び１つ又は複数のメモリ記憶装置と電気通信するプロセッサと、を有しており、
前記インターフェイスシステムは、血管内データ収集プローブにより測定された１つ又は複数の遠位側圧力値（Ｐｄ）及び１つ又は複数の近位側圧力値（Ｐａ）を受け取り、  該プロセッサは、前記命令を実行して、
１つ又は複数の遠位側圧力値及び１つ又は複数の近位側圧力値からＰｄ／Ｐａ比のセットを決定し、
時定数（ＴＣ）を有するフィルタを用いて前記Ｐｄ／Ｐａ比の値のセットをフィルタリングすることであって、前記時定数（ＴＣ）は、心拍周期の長さの約１％〜約５０％の範囲である、フィルタリングし、
フィルタリングされた前記Ｐｄ／Ｐａ比のセットから１つ又は複数の最小のＰｄ／Ｐａ比を決定し、
少なくとも１つの最小のＰｄ／Ｐａ比の表現を表示する、ように構成される、
血管内データ解析システム。
【請求項１６】
前記少なくとも１つの最小のＰｄ／Ｐａ比は、１つの心拍周期に対する最小値及び１つ又は複数の最小のＰｄ／Ｐａ比に対する最長値から構成されるグループから選択され、それぞれの最小値は、サンプル毎に決定される、請求項１５に記載の血管内データ解析システム。
【請求項１７】
前記フィルタは、１つ又は複数の最小のＰｄ／Ｐａ比の再現性を高めるように選択される、請求項１５に記載の血管内データ解析システム。
【請求項１８】
前記プロセッサは、前記命令を実行し、前記フィルタリングに応答して、１つ又は複数の最小のＰｄ／Ｐａ比の再現性を高めるようにさらに構成され、前記フィルタリングは、信号ノイズ又は心拍周期変動によるノイズを減らす、請求項１５に記載の血管内データ解析システム。
【請求項１９】
前記プロセッサは、前記命令を実行して、前記少なくとも１つの最小のＰｄ／Ｐａ比を得るために、１つ又は複数の最小のＰｄ／Ｐａ比を平均化するようにさらに構成され、そのような各比は、心拍周期毎に決定される、請求項１５に記載の血管内データ解析システム。
【請求項２０】
前記表現は、Ｐｄ／Ｐａ比の時間変化グラフを含み、該時間変化グラフは、全ての最小のＰｄ／Ｐａ比を含む、請求項１５に記載の血管内データ解析システム。
【請求項２１】
前記表現は、複数の最小のＰｄ／Ｐａ比であり、前記表現は、最小のＰｄ／Ｐａ比のそれぞれについて離散点を含み、各離散点は１つの心拍周期に対応する、請求項１５に記載の血管内データ解析システム。
【請求項２２】
前記１つ又は複数のＰｄ／Ｐａ比は、前記血管を通して前記血管内データ収集プローブを引き戻す間に取得され、前記プロセッサは、前記命令を実行して、前記血管内の引き戻し経路に沿って変化する最小のＰｄ／Ｐａ比を表示するようにさらに構成される、請求項１５に記載の血管内データ解析システム。
【請求項２３】
前記プロセッサは、前記命令を実行し、前記血管内の引き戻し経路に沿って最小のＰｄ／Ｐａ比の変化を追跡して、前記血管内の狭窄の位置を特定するようにさらに構成される、請求項１５に記載の血管内データ解析システム。
【請求項２４】
前記プロセッサは、前記命令を実行し、狭窄の生理学的な重症度を評価するために、最小のＰｄ／Ｐａ比を含むユーザインターフェイスをユーザに表示するようにさらに構成される、請求項１５に記載の血管内データ解析システム。
【請求項２５】
前記プロセッサは、前記命令を実行し、期間（Ｔ）に亘って最小のＰｄ／Ｐａ値を監視し、且つ該最小のＰｄ／Ｐａ値の変化を前記血管内の狭窄の指標として特定するようにさらに構成される、請求項１５に記載の血管内データ解析システム。
【請求項２６】
前記プロセッサは、前記命令を実行し、少なくとも１つの最小のＰｄ／Ｐａ比の表現と、最小のＰｄ／Ｐａ値対時間のプロット、ＦＦＲ値、Ｐｄ値、Ｐａ値、Ｐａ移動平均、Ｐｄ移動平均、及び血管内画像から構成されるグループから選択されたユーザインターフェイス表現とを含むユーザインターフェイスを表示するようにさらに構成される、請求項１５に記載の血管内データ解析システム。